(57)【要約】【課題】乗員の負担の増大を防止し且つ乗員の誤操作による計測精度の低下を防止する。【解決手段】走行系と積載系で動力が切り替わり且つ前記積載系に切り替わった動力によって積載物を排出する積載車両に設けられた荷重センサ７と、前記荷重センサ７が出力した前記積載車両に加わる荷重に応じた荷重信号に基づいて積載量を計測する計測手段Ｐ１と、前記計測手段Ｐ１が計測した積載量を出力する積載量出力手段Ｐ２と、を有する積載量計測システムにおいて、前記積載車両における排出の終了を検出する排出終了検出手段Ｐ３と、前記排出終了検出手段が排出の終了を検出した後に、前記積載系から前記走行系への動力の復帰を検出する動力復帰検出手段Ｐ４と、前記動力復帰検出手段Ｐ４による動力の復帰の検出に応じて、前記計測手段Ｐ１を初期化する初期化手段Ｐ５と、を有することを特徴とする。【選択図】図１
2010076716.tif 000002
【特許請求の範囲】
【請求項１】
車両系と積載系で動力が切り替わり且つ前記積載系に切り替わった動力によって積載物を排出する積載車両に設けられた荷重センサと、前記荷重センサが出力した前記積載車両に加わる荷重に応じた荷重信号に基づいて積載量を計測する計測手段と、前記計測手段が計測した積載量を出力する積載量出力手段と、を有する積載量計測システムにおいて、
前記積載車両における排出の終了を検出する排出終了検出手段と、
前記排出終了検出手段が排出の終了を検出した後に、前記積載系から前記車両系への動力の復帰を検出する動力復帰検出手段と、
前記動力復帰検出手段による動力の復帰の検出に応じて、前記計測手段を初期化する初期化手段と、
を有することを特徴とする積載量計測システム。
【発明の詳細な説明】
【技術分野】
【０００１】
本発明は、動力が切り替えられたときに積載物を排出する排出手段を有する積載車両に設けられた荷重センサと、前記荷重センサが出力した前記積載車両に加わる荷重に応じた荷重信号に基づいて積載量を計測する計測手段と、前記計測手段が計測した積載量を前記積載車両の乗員に表示する表示手段と、を有する積載量計測システムに関するものである。
【背景技術】
【０００２】
車両の積載重量の計測は、主としてトラック等の大型車両を対象とし、例えば過積載による横転等の交通事故や車両劣化の促進を防ぐ目的で行われている。在来の車両の積載重量計測は、俗に看貫（かんかん）と呼ばれる台秤に計測対象の車両を載せて行っていたが、施設が大掛かりで広い設置スペースを必要とするため、設置できる台秤の台数が制限され多くの車両を計測することができない他、設置コストが嵩んでしまう。
【０００３】
そこで、車両自体に搭載して積載重量を計測する自重計（積載量計測装置）が提供されている。車両搭載型の従来の自重計では、例えば、フロント、リアの両アクスル（車軸）のに左右両端部に、例えばひずみ式ゲージセンサ等、重量測定用の荷重センサを取り付け、前後左右の各タイヤに掛る荷重に比例するそれら各荷重センサの出力の合計により積載重量を計測するようにしている。
【０００４】
近年では、過積載防止、資源ごみ分別収集、ごみの料金課金、等の観点からパッカー車（機械式ごみ収集車）への自重計（荷重センサ）の搭載が検討されているが、なかなか実現されていない。そして、特許文献１に示す計測装置は、リセット可能なメモリ手段を設け、積載物を排出したときに、作業員がリセットスイッチを操作してメモリ手段を「０」にリセットする点と、そのリセットスイッチの操作を作業者が忘れた場合に、リセットスイッチの操作のし忘れを報知する点が記載されている。
【特許文献１】特開平２−２１０２２２号公報
【発明の開示】
【発明が解決しようとする課題】
【０００５】
上述した特許文献１は、積載物を排出する際に、メモリ手段のリセットをし忘れたときに警報を行うが、最終的には作業者がリセットスイッチを操作する必要があり、多忙な乗員を煩わせてしまうという問題があった。そして、作業者が手動でリセットする構造であるため、積載物を排出し忘れた状態でもリセットスイッチを操作することが可能となり、積載物の重量測定精度に著しい誤差を与える危険性があった。そして、積載物を排出した後にメモリ手段のリセット操作が忘れられてしまうと、積載物を排出したにもかかわらず、「０」が表示されないという問題が生じてしまう。
【０００６】
また、リセットのタイミングについては、次回の収集開始時（例えば、排出した後のＡＣＣのＯＮ時等）にリセットすることも考えられるが、荷重センサによる計測精度によっては積載物を排出したにもかかわらず、「０」が表示されないという問題が生じるため、乗員が積載車両の荷箱内を確認しなければならないため、乗員の負担が増大してしまうという問題が生じてしまう。
【０００７】
よって本発明は、上述した問題点に鑑み、乗員の負担の増大を防止し且つ乗員の誤操作による計測精度の低下を防止する積載量計測システムを提供することを課題としている。
【課題を解決するための手段】
【０００８】
上記課題を解決するため本発明によりなされた請求項１記載の積載量計測装置は、図１の基本構成図に示すように、車両系と積載系で動力が切り替わり且つ前記積載系に切り替わった動力によって積載物を排出する積載車両に設けられた荷重センサ７と、前記荷重センサ７が出力した前記積載車両に加わる荷重に応じた荷重信号に基づいて積載量を計測する計測手段Ｐ１と、前記計測手段Ｐ１が計測した積載量を出力する積載量出力手段Ｐ２と、を有する積載量計測システムにおいて、前記積載車両における排出の終了を検出する排出終了検出手段Ｐ３と、前記排出終了検出手段が排出の終了を検出した後に、前記積載系から前記車両系への動力の復帰を検出する動力復帰検出手段Ｐ４と、前記動力復帰検出手段Ｐ４による動力の復帰の検出に応じて、前記計測手段Ｐ１を初期化する初期化手段Ｐ５と、を有することを特徴とする。
【０００９】
上記請求項１に記載した本発明の積載量計測装置によれば、荷重センサ７が出力した荷重信号に基づいて積載量が計測手段Ｐ１によって計測されると、積載量出力手段Ｐ２によって該計測量が乗員等に対して出力される。そして、排出終了検出手段Ｐ３によって積載車両の排出の終了が検出され、その後、動力復帰検出手段Ｐ４によって積載系から車両系への動力の復帰が検出されると、初期化手段Ｐ５によって計測手段Ｐ１のカウンタ、変数、等が初期化される。
【発明の効果】
【００１０】
以上説明したように請求項１に記載した本発明の積載量計測装置によれば、積載車両における排出の終了を検出し、その後の積載車両における積載系から車両系への動力の復帰を検出すると、計測手段の初期化を行うようにしたことから、積載物の排出に応じて積載車両の積載量を初期化することができるため、積載物を排出したにもかかわらず、初期値が出力されないという問題を解消することができる。また、積載車両における排出の終了を検出した後に、積載系から車両系に動力が復帰したときに計測手段を初期化するようにしたことから、従来のリセットスイッチ等を排出の終了後に乗員が操作する必要がなくなるため、リセットスイッチ等と乗員の初期化のための操作が不要となり且つ乗員の操作し忘れによる誤差の発生を防止することができる。従って、乗員の負担の増大を防止し且つ乗員の誤操作による計測精度の低下を防止する積載量計測システムを提供することができる。
【発明を実施するための最良の形態】
【００１１】
以下、本発明に係る積載量計測システムの一実施形態を、図２〜図６の図面を参照して以下に説明する。
【００１２】
図２及び図３において、積載量計測システム１００は、複数の荷重センサ７と、積載量計測装置１０と、を有している。積載量計測装置１０は、積載車両であるパッカー車１の運転席に表示内容が視認可能に搭載されている。積載量計測装置１０は、パッカー車１が停車してから走行開始するまでの間に定められた計測区間、即ち１回の停車中に積載された区間積載量を計測する。
【００１３】
パッカー車１は、図２に示すように、キャブ１ａと、荷箱１ｂと、テールゲート１ｃと、ＡＣＣ（accessory）スイッチ２と、テールゲートセンサ３と、ＰＴＯ（Power Take Off）スイッチ４と、を有している。
【００１４】
なお、本実施形態では、積載車両をパッカー車１とした場合について説明するが、本発明はこれに限定するものではなく、例えば、各種ゴミ収集車等の停車して直ぐに積み卸し作業が行われる特装車両が挙げられる。そして、パッカー車１は、車両系と積載系で動力が切り替わり且つ前記積載系に切り替わった動力によって積載物を排出する。車両系はパッカー車１の走行、動作等、積載系は荷箱１ｂに対する積載、排出等をそれぞれ意味している。
【００１５】
パッカー車１は、積載場所に停車すると、テールゲート１ｃを閉じた状態で、作業員によってホッパーに収集されたごみを自動的に荷箱１bに押し込み圧縮する構成となっている。パッカー車１は、クリーンセンターなどの処理施設に収集したごみを搬入し、テールゲート１ｃを上げ、その開口に向けて押し出し板を移動させることで、荷箱１ｂの中のごみを全て押し出して排出する。なお、排出構造としては、押し出し板等を用いず、荷箱１bを傾けて排出するなど種々異なる実施形態とすることができる。
【００１６】
ＡＣＣスイッチ２は、車両における主に計器やラジオなどの電装品に電力を供給する電気系統であるＡＣＣ系のスイッチであり、ＯＮ状態で計器の照明やオーディオ機器の作動が可能になる。テールゲートセンサ３は、テールゲート１ｃがＯＰＥＮ状態であるかＣＬＯＳＥ状態であるかを示す状態（テールゲート）信号を出力する。ＰＴＯスイッチ４は、車両の動力を切り替えるスイッチであり、ＯＮされると、収集ごみを自動的に荷箱１ｂに押し込み圧縮する装置に動力が切り替え、また、ＯＦＦされると、動力を車両側に切り替える。
【００１７】
複数の荷重センサ７は、図４に示すように、パッカー車１の前後の車軸１ｄにおけるタイヤ寄りの左右に設けられた歪み式のセンシング素子となっている。荷重センサ７は、パッカー車１の荷箱１ｂにおける荷重に応じて変化する車軸１ｄの歪み量を示すパルス信号を発生する。
【００１８】
積載量計測装置１０は、ＭＰＵ１１と、メモリ１２と、表示部１３と、インタフェース（Ｉ／Ｆ）部１４と、を有して構成している。ＭＰＵ１１には、メモリ１２と表示部１３とＩ／Ｆ部１４とが電気的に接続されている。
【００１９】
ＭＰＵ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００２０】
ＲＯＭ１１ｂは、図１に示す請求項中の計測手段Ｐ１、積載量出力手段Ｐ２、排出終了検出手段Ｐ３、動力復帰検出手段Ｐ４、初期化手段Ｐ５、等の各種手段としてＣＰＵ１１ａを機能させるための各種プログラムを記憶している。
【００２１】
メモリ１２は、電力供給が断たれた場合でも、格納された各種データの保持が可能であり、ＣＰＵ１１ａの処理作業に必要な各種格納エリアを有する電気的消去／書き換え可能なメモリ（ＥＥＰＲＯＭ）等が用いられる。メモリ部１２は、サンプリングした荷重信号の値である荷重データを時系列的に複数記憶するとともに、それらの荷重データに基づいて算出した積載量を記憶する記憶領域を有している。
【００２２】
表示部１３は、周知である液晶ディスプレイ、セグメント表示装置等の各種表示装置が用いられる。表示部１３は、ＣＰＵ１１ａの制御によって計測した積載重量等の各種情報を表示する。そして、Ｉ／Ｆ部１４は、上述したＡＣＣスイッチ２、テールゲートセンサ３、ＰＴＯスイッチ４、複数の荷重センサ７、等が電気的に接続されており、それらから入力された信号を変換してＭＰＵ１１に出力する。
【００２３】
Ｉ／Ｆ部１４は、励磁電流の供給により各荷重センサ７を励磁させ、各荷重センサ７の励磁によって生じる交流電圧を検出して直流電圧に変換し、該直流電圧の電圧値に比例した周波数のパルス信号に変換してＣＰＵ１１ａに出力する。そして、ＣＰＵ１１ａは、入力されるパルス信号に基づいて周波数を計測して時系列的にメモリ１２等に記憶する。
【００２４】
そして、ＣＰＵ１１ａは、ＲＯＭ１１ｂ等に予め記憶している計測処理プログラムを実行することで、メモリ１２に記憶されている最新の荷重データ、重量換算係数、等に基づいて最新の積載重量を所定時間毎に算出し、該算出結果を計測した積載量としてＲＡＭ１１ｃ等に記憶する。よって、ＣＰＵ１１ａが前記計測手段Ｐ１及び前記積載量出力手段Ｐ２として機能することになる。
【００２５】
また、Ｉ／Ｆ部１４は、ＡＣＣスイッチ２、テールゲートセンサ３、ＰＴＯスイッチ４のそれぞれの状態信号をＣＰＵ１１ａに出力する。そして、ＣＰＵ１１ａは、各状態信号に基づいて、ＡＣＣスイッチ２、テールゲートセンサ３、ＰＴＯスイッチ４の各状態を検出する。
【００２６】
次に、上述した積載量計測装置１０のＣＰＵ１１ａが実行する自動初期化処理の一例を、図５のフローチャートを参照して以下に説明する。なお、自動初期化処理は、パッカー車１のＡＣＣスイッチ２のＯＮに応じて起動され、その後の積載量計測装置１０の電源断、上位処理からの強制終了等に応じて処理を終了することを前提としている。
【００２７】
ＣＰＵ１１ａによってＲＯＭ１１ｂに予め記憶された自動初期化処理プログラムが実行されることで、図５に示すステップＳ１１において、Ｉ／Ｆ部１４を介してテールゲートセンサ３及びＰＴＯスイッチ４の各状態信号が取得され、それらの状態信号に基づいて、パッカー車１のテールゲート１ｃがＯＰＥＮ、且つ、ＰＴＯスイッチ４がＯＮ状態（ＰＴＯ−ＯＮ）であるか否かが判定される。テールゲート１ｃがＯＰＥＮ且つＰＴＯ−ＯＮではないと判定された場合（Ｓ１１でＮ）、この判定処理が繰り返される。一方、テールゲート１ｃがＯＰＥＮ且つＰＴＯ−ＯＮであると判定された場合（Ｓ１１でＹ）、ステップＳ１２に進む。
【００２８】
ステップＳ１２（排出終了検出手段に相当）において、Ｉ／Ｆ部１４を介してテールゲートセンサ３からの状態（テールゲート）信号が取得され、該状態信号に基づいてテールゲート１ｃがＣＬＯＳＥであるか否かが判定される。テールゲート１ｃがＣＬＯＳＥではないと判定された場合（Ｓ１２でＮ）、この判定処理を繰り返すことで、テールゲート１ｃのＣＬＯＳＥを待つ。一方、テールゲート１ｃがＣＬＯＳＥであると判定された場合（Ｓ１２でＹ）、ステップＳ１３に進む。
【００２９】
ステップＳ１３（動力復帰検出手段に相当）において、Ｉ／Ｆ部１４を介してＰＴＯスイッチ４の状態信号が取得され、該状態信号に基づいてＰＴＯスイッチ４がＯＦＦ状態（ＰＴＯ−ＯＦＦ）であるか否かが判定される。ＰＴＯ−ＯＦＦではないと判定された場合（Ｓ１３でＮ）、この判定処理を繰り返すことで、ＰＴＯ−ＯＦＦを待つ。一方、ＰＴＯ−ＯＦＦであると判定された場合（Ｓ１３でＹ）、ステップＳ１４（初期化手段に相当）において、メモリ１２の積載量がリセットされることで、積載量に初期値である「０」が設定され、その後ステップＳ１１に戻り、一連の処理が繰り返される。
【００３０】
以上の説明からも明らかなように、ＣＰＵ１１ａが自動初期化処理プログラムを実行することで、図１に示す請求項中の排出終了検出手段Ｐ３、動力復帰検出手段Ｐ４、初期化手段Ｐ５として機能する。
【００３１】
次に、上述した構成の積載量計測システム１００の本発明に係る動作（作用）の一例を、図６等の図面を参照して以下に説明する。
【００３２】
積載量計測装置１０は、ＡＣＣスイッチ２のＯＮ操作等によって起動されると、状態ＳＴ１に遷移して、複数の荷重センサ７から入力される荷重信号を所定のサンプリング間隔でサンプリングして積載量を計測し、その計測結果を表示部１３に表示（出力）する。そして、パッカー車１が集積場所等で停車した後、ＰＴＯスイッチ４がＯＮされると、パッカー車１のホッパーに収集されたごみを自動的に荷箱１bに押し込み圧縮する駆動装置（図示せず）にパッカー車１の動力が切り替わる。そして、積載量計測装置１０はそのＰＴＯ−ＯＮの検出に応じて状態ＳＴ２に遷移して、荷箱１ｂへの積載物の積載作業に応じて変化する荷重信号を、所定のサンプリング間隔で計測して積載量を表示部１３に表示する。これにより、表示部１３には積載作業に応じて変化する積載量が逐次表示される。
【００３３】
積載量計測装置１０は、状態ＳＴ２においてＰＴＯスイッチ４がＯＦＦされたことを検出すると、状態ＳＴ１に遷移し、また、状態ＳＴ２においてテールゲート１ｃがＯＰＥＮしたことを検出すると、状態ＳＴ３−１に遷移して、表示部１３にテールゲート１ｃがオープンされていることを表示する。積載量計測装置１０は、状態ＳＴ３−１においてＰＴＯスイッチ４がＯＦＦされると、状態ＳＴ１に遷移し、また、状態ＳＴ３−１においてテールゲート１ｃの開口スイッチ等の操作によってテールゲート１ｃがＣＬＯＳＥしたことを検出すると、状態ＳＴ３−２に遷移する。
【００３４】
積載量計測装置１０は、状態ＳＴＳＴ３−２においてテールゲート１ｃがＯＰＥＮしたことを検出すると、状態ＳＴ３−１に遷移する。また、積載量計測装置１０は、状態ＳＴＳＴ３−２においてＰＴＯスイッチ４がＯＦＦされたことを検出すると、リセット状態ＳＴ４に遷移して、メモリ１２の積載量に初期値（例えば「０」等）が設定して、状態ＳＴ１に遷移する。そして、積載量計測装置１０は、状態ＳＴ１において、メモリ１２の積載量を表示部１３に表示（出力）するため、乗員はその表示部１３を参照することで、荷箱１ｂ内を確認しなくても、荷箱１ｂ内が空になったことを確認することができる。
【００３５】
以上説明した積載量計測システム１００によれば、パッカー車１における排出の終了を検出し、その後のパッカー車１における積載系から走行系への動力の復帰を検出すると、メモリ１２における積載量の初期化を行うようにしたことから、積載物の排出に応じてパッカー車１の積載量を初期化することができるため、積載物を排出したにもかかわらず、初期値が出力されないという問題を解消することができる。また、パッカー車１における排出の終了を検出した後に、積載系から走行系に動力が復帰したときに計測手段を初期化するようにしたことから、従来のリセットスイッチ等を排出の終了後に乗員が操作する必要がなくなるため、リセットスイッチ等と乗員の初期化のための操作が不要となり且つ乗員の操作し忘れによる誤差の発生を防止することができる。従って、乗員の負担の増大を防止し且つ乗員の誤操作による計測精度の低下を防止する積載量計測システム１００を提供することができる。
【００３６】
なお、上述した本実施形態では、パッカー車１における排出の終了をテールゲートセンサ３からの状態信号に基づいて検出する場合について説明したが、本発明はこれに限定するものではなく、テールゲート１ｃの開口スイッチに基づいて検出するなど種々異なる実施形態とすることができる。
【００３７】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００３８】
【図１】本発明の積載量計測システムの基本構成を示す構成図である。
【図２】本発明に係る積載量計測システムの概略構成の一例を示す構成図である。
【図３】積載車両の概略構成の一例を示す構成図である。
【図４】図３の積載車両の底面における概略構成を説明するための図である。
【図５】図２のＣＰＵが実行する自動初期化処理の一例を示すフローチャートである。
【図６】積載量計測システムの本発明に係る状態遷移の一例を示す状態遷移図である。
【符号の説明】
【００３９】
１    積載車両（パッカー車）
４    ＰＴＯスイッチ
７    荷重センサ
１０    積載量計測装置
１３    表示部
Ｐ１    計測手段
Ｐ２    積載量出力手段
Ｐ３    排出終了検出手段
Ｐ４    動力復帰検出手段
Ｐ５    初期化手段
【図１】
2010076716.tif 000003
【図２】
2010076716.tif 000004
【図３】
2010076716.tif 000005
【図４】
2010076716.tif 000006
【図５】
2010076716.tif 000007
【図６】
2010076716.tif 000008